(57)【要約】【課題】  清掃用具に付着したアレルギーを引き起こす物質の抗原性を低減化することができる掃除用具を提供する。【解決手段】  ドライタイプの繊維状基材を有する室内用の清掃用具であって、前記繊維状基材には、アレルギーを引き起こす物質の抗原性を低減化する、抗原性低減化成分と、油剤と、界面活性剤と、を含む抗原性低減化組成物が付与されている。前記抗原性低減化成分は、オリーブ属又はイボタノキ属の植物を、水又は有機溶媒で抽出した抽出物からなるものであることが好ましい。【選択図】  なし【特許請求の範囲】
【請求項１】
ドライタイプの繊維状基材を有する室内用の清掃拭き取り具であって、
前記繊維状基材には、アレルギーを引き起こす物質の抗原性を低減化する、抗原性低減化成分と、油剤と、界面活性剤と、を含む抗原性低減化組成物が付与されている掃除用具。
【請求項２】
前記抗原性低減化成分は、水溶性又は親水成分である請求項１記載の掃除用具。
【請求項３】
前記抗原性低減化成分は、植物抽出成分である請求項１又は２記載の掃除用具。
【請求項４】
前記抗原性低減化成分は、オリーブ属又はイボタノキ属の植物を、水又は有機溶媒で抽出した抽出物からなるものである請求項１から３いずれか記載の掃除用具。
【請求項５】
前記抗原性低減化成分は、オレウロペインである請求項１から４いずれか記載の掃除用具。
【請求項６】
前記界面活性剤は、非イオン系界面活性剤である請求項１から５いずれか記載の掃除用具。
【請求項７】
前記油剤は、着塵油剤である請求項１から６いずれか記載の掃除用具。
【請求項８】
前記油剤は、鉱物油である請求項１から７いずれか記載の掃除用具。
【請求項９】
前記鉱物油は、３０℃における粘度が１０〜２００ｍｍ２／ｓである請求項８記載の掃除用具。
【請求項１０】
前記繊維状基材は白色である請求項４又は５記載の掃除用具。
【請求項１１】
前記抗原性低減化組成物全体に対し、前記抗原性低減化成分を０．０１〜１０質量％、前記油剤を５０〜９５質量％、前記界面活性剤を１〜５０質量％含有する請求項１から１０いずれか記載の掃除用具。
【請求項１２】
前記抗原性低減化組成物は、前記抗原性低減化組成物が付与された繊維状基材全体に対して１〜１５質量％となるように付与されている請求項１１記載の掃除用具。
【請求項１３】
前記抗原性低減化組成物は、前記抗原性低減化組成物が付与された繊維状基材全体に対して３〜１５質量％となるように付与されている請求項１１記載の掃除用具。
【請求項１４】
前記抗原性低減化組成物の少なくとも一部を清掃対象に移行させる請求項１３記載の掃除用具。
【発明の詳細な説明】
【技術分野】
【０００１】
本発明は、繊維状基材を有する室内用の掃除用具に関し、更に詳しくは、アレルギーを引き起こす物質の抗原性を低減化することができる掃除用具に関する。
【背景技術】
【０００２】
近年、アレルギー性鼻炎や気管支喘息等のアレルギー性疾患を抱える人の数は増加の一途を辿っている。これらのアレルギー性疾患を引き起こす原因となる物質がいわゆるアレルゲンであり、現在確認されているものだけでその数は約２００種類にも及ぶ。ダニ、ダニの死骸、ペットの毛、花粉等はその代表例であり、これらのアレルゲンが何らかの形で人体と接触、又は体内に入ることにより、種々のアレルギー症状が誘発される。
【０００３】
この場合、仮にアレルギーの原因となるダニ等を薬剤などで死滅させても、その死虫も抗原性を有しているため、アレルギー疾患の根本的な解決には至らない。従って、アレルギー疾患の症状軽減あるいは新たな感作を防ぐためには、生活空間から完全にアレルゲンを取り除くか、アレルゲンを変性させるなどしてアレルギーを引き起こす物質の抗原性を低減化（不活性化）させることが必要となる。
【０００４】
上記のアレルギーを引き起こす物質の抗原性を低減化する剤として、例えば、モクセイ科オリーブ属またはイボタノキ属から選ばれる少なくとも一種の植物からなるアレルゲン不活化剤が開示されている（特許文献１参照）。
【０００５】
また、水溶液の状態で、畳、絨毯、床などに散布又は塗布可能な剤として、有効成分として硫酸アルミニウム及び硫酸ナトリウムを含有する水溶液からなるアレルゲン低減化剤が開示されている（特許文献２参照）。
【特許文献１】特開２００３−５５１２２号公報
【特許文献２】特開２００３−３３４２４０号公報
【発明の開示】
【発明が解決しようとする課題】
【０００６】
室内の塵や埃などを除去する目的で使用される、雑巾、モップ、ワイパーなどの掃除用具においては、掃除によって上記のアレルゲンが掃除用具に付着され、この状態で長期間保持されることになる。このため、上記のように、アレルギー疾患の症状軽減、あるいは新たなアレルギー疾患の発症を防ぐためには、掃除用具に保持されたアレルゲンの抗原性も低減化させることが必要となる。
【０００７】
しかしながら、上記の特許文献１、２の剤は、いずれも畳、絨毯、床、衣類など、人体に触れる恐れのある箇所に直接散布又は塗布して使用するものである。これらは、塗布した後に拭き取ったり、掃除機で吸い取ったりする必要があり、面倒である。しかし、日常、最も頻繁に清掃する床や家具の埃・ダストの掃除に関して、アレルギーを引き起こす物質を簡単に除去する方法は検討されていない。また、従来の方法は対象物を濡らすので、乾かす時間が必要であり、アレルギーを引き起こす物質を低減化できるドライタイプの掃除方法の提案はされていない。さらに、モップなどドライタイプの掃除用具に取り込んだ埃・ダストに含まれるアレルギーを引き起こす物質の抗原性を低減化する検討はされていない。
【０００８】
特に、室内用の掃除用具においては、使い捨てや交換が可能であって、シート状や刷毛状の繊維状基材を有し、実質的に水分を含有しないドライタイプのものが市場にて好評を博している。このようなドライタイプの掃除用具の場合、付与される抗原性低減化組成物としては、当該組成物が繊維状基材への付着性又は含浸性に優れ、しかも、使用時には対象物への移行が少ないことが要求される。
【０００９】
この点、特許文献１においては、上記の付着性や含浸性を考慮した組成物としての検討は行われていない。また、特許文献２のアレルゲン低減化剤は、水溶液の状態でいわゆるウエット状態で使用するものであり、実質的に水分を含有しないようなドライタイプの掃除用具への適用は困難である。
【００１０】
本発明は、上記のような課題に鑑みてなされたものであり、掃除用具に付着したアレルギーを引き起こす物質の抗原性を低減化することができる掃除用具を提供することを目的とする。
【課題を解決するための手段】
【００１１】
本発明者らは、上記課題を解決するために鋭意研究を重ねた結果、抗原性低減化成分を、油剤と界面活性剤とを含む特定の組成物として掃除用具に付与することにより、上記課題を解決できることを見出し、本発明を完成するに至った。より具体的には、本発明は以下のようなものを提供する。
【００１２】
（１）ドライタイプの繊維状基材を有する室内用の清掃拭き取り具であって、前記繊維状基材には、アレルギーを引き起こす物質の抗原性を低減化する、抗原性低減化成分と、油剤と、界面活性剤と、を含む抗原性低減化組成物が付与されている掃除用具。
【００１３】
本発明の掃除用具によれば、抗原性低減化成分と、油剤と、界面活性剤と、を含む抗原性低減化組成物を用いたので、この組成物を、ドライタイプの繊維状基材に容易に付与可能である。また、このような組成物状態で付与することにより、長期間安定した状態で抗原性低減化の効果を維持できる。また、組成物付与量が少ない場合には、使用中に繊維状基材側から掃除対象側への組成物の移行を防止できる。
【００１４】
なお、本発明において、「ドライタイプ」とは、掃除用具に付与する抗原性低減化組成物に含まれる油剤と水分の重量比率において、油の方が多いことを意味し、水分量は５．０％以下が適当である。油剤に水分が可溶化している必要があり、油剤が乳化している場合、ダスト捕集力が低下するため好ましくない。
【００１５】
（２）前記抗原性低減化成分は、水溶性又は親水成分である（１）記載の掃除用具であり、また、（３）前記抗原性低減化成分は、植物抽出成分である（１）又は（２）記載の掃除用具。
【００１６】
この態様によれば、使用する抗原性低減化成分は水溶性又は親水成分であり、または、植物由来であるため、人体への安全性が高い。
【００１７】
（４）前記抗原性低減化成分は、オリーブ属又はイボタノキ属の植物を、水又は有機溶媒で抽出した抽出物からなるものである（１）から（３）いずれか記載の掃除用具。
【００１８】
この態様によれば、オリーブ属又はイボタノキ属の植物を、水又は有機溶媒で抽出した抽出物（以下、オリーブ抽出物ともいう）は、抗原性の低減化作用に優れるので、より少量の付与でも抗原性を低下できる。また、従来の植物由来の抗原性低減化成分は、種類によっては成分自身が着色しているため、繊維状基材に付与した際に当該基材の着色が問題になる。しかし、オリーブ抽出物自身の色調は黄〜黄褐色であるため、オリーブ抽出物を希釈して繊維状基材に付着した際にはほとんど無色透明になり、基材側への着色を防止できる。
【００１９】
（５）前記抗原性低減化成分は、オレウロペインである（１）から（４）いずれか記載の掃除用具。
【００２０】
この態様において用いられるオレウロペインは、フェノール性のイリドイド配糖体であり、上記のオリーブ属又はイボタノキ属の植物に多く含まれる。このイリドイド配糖体には、ホルミル基と水酸基があり、これがアレルゲン蛋白に含まれるアミノ基と結合することにより抗原性の低減化作用を行うものと考えられる。
【００２１】
（６）前記界面活性剤は、非イオン系界面活性剤である（１）から（５）いずれか記載の掃除用具。
【００２２】
この態様によれば、抗原性低減化成分と油剤を安定的に混合することができる。
【００２３】
（７）前記油剤は、着塵油剤である（１）から（６）いずれか記載の掃除用具であり、また、（８）前記油剤は、鉱物油である（１）から（７）いずれか記載の掃除用具。
【００２４】
この態様によれば、油剤として着塵油材、鉱物油を用いることにより、繊維状基材への抗原性低減化組成物の付着を容易にし、更に、一旦繊維状基材へ付与された抗原性低減化組成物が脱離して、掃除対象側へ移行してしまうのを効果的に防止できる。また、埃の捕集力が高まり、再脱落を防ぐことができる。
【００２５】
（９）前記鉱物油は、３０℃における粘度が１０〜２００ｍｍ２／ｓである（８）記載の掃除用具。
【００２６】
鉱物油の３０℃での粘度は、１０〜２００ｍｍ２／ｓであることが好ましい。より好ましくは、１５〜１２０ｍｍ２／ｓである。粘度が１０ｍｍ２／ｓ未満の場合は，清掃対象面に多量に移行したり、手に付着してベタツキを感じることがある。２００ｍｍ２／ｓを超えると、ダストの吸着性が不良となる。
【００２７】
（１０）前記繊維状基材は白色である（４）又は（５）記載の掃除用具。
この態様によれば、上記のオリーブ抽出物やオレウロペインは着色の程度が少ないので、繊維状基材への着色の問題が生じない。このため、従来と同様に白色の繊維状基材を用いることができるので、付着した塵や埃の認識が容易になる。
【００２８】
（１１）  前記抗原性低減化組成物全体に対し、前記抗原性低減化成分を０．０１〜１０質量％、前記油剤を５０〜９５質量％、前記界面活性剤を１〜５０質量％含有する（１）から（１０）いずれか記載の掃除用具。
【００２９】
この態様によれば、上記範囲の配合割合とすることで、繊維状基材自身および油剤の着塵力によって、埃を捕集する。更に、抗原性低減化組成物によって捕集物に含まれるアレルギーを引き起こす物質の抗原性を低減化できる。
【００３０】
（１２）前記抗原性低減化組成物は、前記抗原性低減化組成物が付与された繊維状基材全体に対して１〜１５質量％となるように付与されている（１１）記載の掃除用具。
【００３１】
この態様によれば、抗原性低減化組成物を繊維状基材全体に対して１質量％以上付与することで、充分な抗原性の低減化効果を得ることができる。なお、この場合の抗原性低減化成分の添加割合は０．０１〜１０質量％となるので、ごく微量の抗原性低減化成分の付与で効果を充分に発揮できる。
【００３２】
一方、抗原性低減化組成物を繊維状基材全体に対して１５質量％以下付与することで、過剰の抗原性低減化組成物の付着による、掃除対象への抗原性低減化組成物の移行を防止できるようになっている。
【００３３】
（１３）前記抗原性低減化組成物は、前記抗原性低減化組成物が付与された繊維状基材全体に対して３〜１５質量％となるように付与されている（１１）記載の掃除用具。
【００３４】
（１４）前記抗原性低減化組成物の少なくとも一部を清掃対象に移行させる（１３）記載の掃除用具。
【００３５】
（１３）及び（１４）の態様によれば、抗原性低減化組成物を繊維状基材全体に対して３質量％以上付与することで、清掃用具において充分な抗原性低減化効果を得ることができる。また、抗原性低減化組成物の少なくとも一部を被清掃物に移行させることができ、これにより、被清掃物における抗原性低減化効果と、油剤の移行によるワックス効果も併せて奏することができる。一方、抗原性低減化組成物を繊維状基材全体に対して１５質量％以下付与することで、被清掃物に必要以上に移行したり、手に付着してベタツキを感じることを防止できる。
【００３６】
このように、上記（１３）及び（１４）の態様は、清掃用具における抗原性低減化効果とともに、被清掃物における抗原性低減化効果、及び、床面へのワックス効果をも奏することができるので、床用のいわゆるフロアタイプの掃除用具に好ましく適用できる。
【発明の効果】
【００３７】
本発明によれば、掃除用具に付着したアレルギーを引き起こす物質の抗原性を低減化する掃除用具を提供できる。
【発明を実施するための最良の形態】
【００３８】
＜抗原性低減化組成物＞
本発明の清掃用具に付与される抗原性低減化組成物は、（ａ）アレルギーを引き起こす物質の抗原性を低減化する抗原性低減化成分と、（ｂ）油剤と、（ｃ）界面活性剤と、を含んでいる。以下、それぞれの構成成分について説明する。
【００３９】
［抗原性低減化成分］
本発明で用いられる「抗原性低減化成分」は、アレルギーを引き起こす物質の抗原性を低減化してアレルギー症状を抑制するものであり、植物由来の成分であることが好ましい。ここで、アレルギーを引き起こす物質（アレルゲン）とは、例えば、ダニ、ハウスダスト、動物、真菌（カビ）、昆虫等の吸入性アレルゲンや、スギ、イネ科花粉等である。
【００４０】
このような抗原性低減化成分の具体例としては特に限定されないが、上記のオリーブ抽出物、イボタノキ抽出物、ザクロ、ニーム、カキ、茶、竹、シソ、ハッカ、ヒノキ、ヒバ、ユーカリ、ティーツリー等の抽出物が例示でき、抽出した化合物としては、タンニン酸、没食子酸等が挙げられる。また、パラポリビニルフェノール等の１価又はそれ以上のフェノール基を線状高分子の繰り返し単位の側鎖に有する高分子化合物、ジオキシ安息香酸重合物等の１価のフェノール基を繰り返し単位に有する高分子化合物、ラウリルジフェニルエーテルジスルホン酸ジナトリウム等のポリオキシエチレン鎖及び／若しくはエチレン鎖を分子中に有する２価以上のベンゼンスルホン酸塩、並びに／又は、ポリオキシエチレン鎖及び／若しくはエチレン鎖を分子中に有する２価以上の硫酸塩、２，５−ジヒドロキシ安息香酸等のヒドロキシ安息香酸、芳香族ヒドロキシ化合物、アルカリ金属の炭酸塩、明礬、ラウリルベンゼンスルホン酸塩、ラウリル硫酸塩、ポリオキシエチレンラウリルエーテル硫酸塩、リン酸塩、硫酸亜鉛及び／又は酢酸鉛等が挙げられる。
【００４１】
上記のうち、抗原性低減化成分は、オリーブ抽出物からなるものであることが好ましい。本発明における「オリーブ抽出物」とは、オリーブ属又はイボタノキ属の植物を、水又は有機溶媒で抽出した抽出物からなるものである。また、抗原性低減化成分は、オレウロペインであることがより好ましい。オレウロペインは、イリドイド配糖体であり、このイリドイド配糖体には、ホルミル基と水酸基があり、これがアレルゲン蛋白に含まれるアミノ基と結合することにより抗原性の低減化を行うものと考えられる。このようなオリーブ抽出物としては、具体的には、上記の特許文献１に記載されているものを用いることができる。
【００４２】
また、タンニン酸は、ポリフェノールの水酸基がアレルゲン蛋白のアミノ基やペプチド部分と結合することにより抗原性の低減化を行うものと考えられる。
【００４３】
上記の抗原性低減化成分は、単独成分として抗原性低減化組成物に配合されてもよく、オレウロペインなどの有効成分及びその抽出液などを含んだ溶液などの状態（以下、抗原性低減化剤という）で配合されてもよい。例えば、上記のオリーブ抽出物は抗原性低減化剤の一例であり、オレウロペイン以外に、エタノール及び水を含んだ組成物として用いることができる。
【００４４】
［油剤］
本発明で用いられる「油剤」は、塵埃やダストの吸着保持能力を高めるために添加される。このような油剤としては特に限定されないが、鉱物油、合成油、シリコーン油、植物油のうち少なくとも１種以上含むことが好ましい。鉱物油としてはパラフィン系炭化水素、ナフテン系炭化水素、芳香族炭化水素等が例示できる。これらの油剤は、単独で用いてもよく、２種以上を混合して用いてもよい。
【００４５】
なかでも、油剤の主成分が流動パラフィンである場合、繊維状基材への抗原性低減化組成物の付着を容易にし、更に、一旦繊維状基材へ付与された抗原性低減化組成物が脱離して、掃除対象側へ移行してしまうのを効果的に防止できるので好ましい。
【００４６】
［界面活性剤］
本発明で用いられる「界面活性剤」は、掃除用具への付与を容易にし、また、組成物を均一化するために添加される。界面活性剤の種類としては、非イオン性界面活性剤を用いることが好ましい。このような非イオン界面活性剤として特に限定されないが、ポリオキシエチレンアルキルエーテルとしては、ポリオキシエチレンラウリルエーテル、ポリオキシエチレンセチルエーテル、ポリオキシエチレンオレイルエーテル、ポリオキシエチレンステアリルエーテルなどが好ましい。ソルビタンエステルとしてはソルビタンラウリン酸モノエステル、ソルビタンパルチミン酸モノエステル、ソルビタンステアリン酸モノエステル、ソルビタンオレイン酸モノエステルなどが好ましい。グリセリン脂肪酸エステルとしては、モノミリスチン酸グリセリル、モノステアリン酸グリセリル、モノオレイン酸グリセリル、モノイソステアリン酸グリセリル、ジオレイン酸グリセリルなどが好ましい。植物油としては、ホホバ油、アボカド油、オリーブ油、杏仁油、グレープシード油、サフラワー油、ヒマワリ油などが好ましい。ソルビタントリオレエートとしては、ソルビタンステアリン酸トリエステル、ソルビタンオレイン酸トリエステルなどが好ましい。ヒマシ油もしくは硬化ヒマシ油のＥＯ付加物としては、ポリオキシエチレン硬化ヒマシ油、ラウリン酸ポリオキシエチレン硬化ヒマシ油、モノイソステアリン酸ポリオキシエチレン硬化ヒマシ油などが好ましい。これらの界面活性剤は単独で用いてもよく、２種以上を混合して用いてもよい。
【００４７】
［その他の成分］
本発明に用いられる抗原性低減化組成物には、その性状を大きく変動させない範囲内において、上記の抗原性低減化成分、油剤、界面活性剤以外の各種の成分が配合されていてもよい。
【００４８】
［抗原性低減化組成物の配合］
上記の各成分は、従来公知の方法で混合・攪拌され、抗原性低減化組成物とすることができる。ここで、上記の必須３成分である抗原性低減化成分、油剤、界面活性剤の配合割合としては、抗原性低減化組成物全体に対し、抗原性低減化成分を０．０１〜１０質量％、油剤を５０〜９５質量％、界面活性剤を１〜５０質量％含有することが好ましい。より好ましくは、抗原性低減化成分が０．０２〜１質量％、油剤が６０〜８０質量％、界面活性剤が２０〜４０質量％である。
【００４９】
抗原性低減化成分が０．０１質量％未満であると、捕集した埃に対する抗原性低減化率が充分とはいえず好ましくなく、１０質量％を超えると、抗原性低減化組成物の経日安定性が不良になり、また高価となるので好ましくない。
【００５０】
油剤が５０質量％未満であると、油剤成分付与によるダスト類の吸着量の向上は充分とはいえず好ましくなく、９５質量％を超えると、抗原性低減化組成物において経日安定性が不良になり好ましくない。
【００５１】
界面活性剤が１質量％未満であると、抗原性低減化組成物の経日安定性が不良になりやすいので好ましくなく、５０質量％を超えると、添加できる油剤量が減る為ダスト類の吸着量が減るので好ましくない。
【００５２】
＜掃除用具＞
次に、上記の抗原性低減化組成物を付与する掃除用具について説明する。掃除用具は、実質的に水分を含有しない繊維状基材を有する室内用の清掃用具、いわゆるドライタイプの清掃用具であれば特に限定されない。例えば、シート状であってもよく、シートを切断した短冊状であってもよく、モップのように多数の紐状体で構成されていてもよく、トウファイバー（繊維の集合体）で形成されていてもよい。繊維状基材の種類も特に限定されず、天然繊維、合成繊維、半合成繊維のいずれでもよい。また、繊維形態は織物、編物、不織布のいずれであってもよく、特に限定されない。
【００５３】
＜掃除用具の例＞
図１、２には、このような掃除用具の一例が示されている。図１は掃除用具の斜視図、図２は図１における掃除用シートの分解斜視図である。図１に示すように、この掃除用具１０はいわゆるハンディタイプであり、本発明における繊維状基材に相当する掃除用シート１１と、把持具１２とから構成されている。なお、把持具１２は適宜交換可能であり、例えば、図３に示すような把持具２２を装着することで、図１の掃除用具では手の届かない高所や狭い場所においても使用することができる。
【００５４】
図２に示すように、掃除用シート１１は、上側から順番に、不織布からなり多数の短冊片が形成された保持シート１、同じく不織布からなり多数の短冊片が形成された基材シート２、トウファイバーからなる第１の繊維束３ａ、トウファイバーからなる第２の繊維束３ｂ、トウファイバーからなる第３の繊維束３ｃ、トウファイバーからなる第４の繊維束３ｄ、複数の短冊片が形成された短冊シート５の順に積層されている。そして、この実施形態においては、第１の繊維束３ａ、第２の繊維束３ｂ、第３の繊維束３ｃ及び第４の繊維束３ｄとが、本発明における刷毛部を構成している。したがって、この刷毛部によって掃除がより効果的に行える。そして、この刷毛部のみに抗原性低減化組成物を付与すればよいので、より効果的に抗原性低減化組成物を付与できる。ここで「刷毛部」とは、本発明に係る掃除用具において、主として掃除機能を発揮する部分であり、繊維状基材の一部であっても良く、全部であっても良い。各層は全層接合線６において保持シート１、基材シート２、第１の繊維束３ａ、第２の繊維束３ｂ、第３の繊維束３ｃ、第４の繊維束３ｄ及び短冊シート５が接合され、接合線７において保持シート１、基材シート２、第１の繊維束３ａ及び第２の繊維束３ｂのみが接合されている。これにより、保持シート１と基材シート２との間で保持空間１３が形成され、把持具１２を挿入して装着することができる。このようなハンディタイプの掃除用具１０、２０においては、第１の繊維束３ａ、第２の繊維束３ｂ、第３の繊維束３ｃ及び第４の繊維束３ｄとで構成される刷毛部にのみ、抗原性低減化組成物を付与することが好ましい。
【００５５】
＜掃除用具の他の例＞
図４には、掃除用具の他の例として、床面を掃除するのに好適なフロアタイプの掃除用具３０が示されている。図４に示すように、この掃除用具３０では、本発明における繊維状基材に相当する掃除用シート３１を、把持具３２の先端部３２ａに巻きつけて使用する。なお、掃除用シート３１の表裏にはトウからなる凸部３３が形成されており、溝部分など、平面状のものでは掃除しにくい箇所の掃除が行ない易くなっている。この掃除用具３０で床面などに触れさせるだけで、掃除用シート３１によって埃などが捕集できる。このようなフロアタイプの掃除用具３０においては、掃除用シート３１の全体に抗原性低減化組成物を付与することが好ましい。
【００５６】
＜抗原性低減化組成物の付与方法＞
上記の掃除用具に抗原性低減化組成物を付与する方法としては、繊維状基材に抗原性低減化組成物を噴霧法やローラーコート法、浸漬法などにより付与する方法が挙げられるがこれに限定されない。
【００５７】
抗原性低減化組成物の付与量は、図１のようなハンディタイプの掃除用具においては、繊維状基材全体に対して１〜１０質量％が好ましい。１質量％以下では、粉末状のダストをとりきれないので好ましくない。１０質量％以上では、被清掃物に多量に移行し、また、手に付着してベタツキを感じることがあるので好ましくない。
【００５８】
一方、図４のようなフロアタイプの掃除用具においては、ハンディタイプよりやや多く、繊維状基材全体に対して３〜１５質量％付与することが好ましく、３〜１０質量％付与することがより好ましい。この範囲の付与量であると、抗原性低減化組成物の少なくとも一部は被清掃物側へ移行し易くなる。これにより、上記のような清掃用具の抗原性低減化効果とともに、移行して残された被清掃物側の抗原性低減化組成物も抗原性減化効果を発揮できる。したがって、被清掃物の抗原性低減化効果も奏することができる。また、このとき抗原性低減化組成物中の油剤も被清掃物へ移行するので、床面へのワックス効果も合わせて奏することができる。したがって、この態様は、いわゆるフロアタイプである床用の掃除用具に好ましく適用できる。付与量が３質量％以下では、掃除用具が粉末状のダストをとりきれず、更に、抗原性低減化組成物の被清掃物への移行も不充分であるので好ましくない。また、１５質量％以上では、抗原性低減化組成物が被清掃物に多量に移行し、また、手に付着してベタツキを感じることがあるので好ましくない。
【実施例】
【００５９】
以下、実施例及び比較例を用いて本発明を更に詳細に説明するが、本発明は以下の実施例に限定されるものではない。
【００６０】
＜抗原性低減化成分を含む抗原性低減化剤の製造＞
（オリーブ抽出物）
植物オリーブの葉を、特許文献１の組成物実施例３に基づき水で抽出した（水１００ｇ中にオリーブの生葉を２０ｇ入れ、ミキサーで粉砕し、濾紙で濾過したろ液）のち、エタノールを加え、オレウロペイン０．６％になるように調整した液である。
（タンニン酸）
タンニン酸（和光純薬製）を水およびエタノールに溶解し、タンニン酸１５％になるよう調整した液である。
【００６１】
＜抗原性低減化組成物の製造＞
上記の２種類の抗原性低減化剤を用い、表１に示す配合割合で、製造例１〜４の抗原性低減化組成物を得た。
【００６２】
油剤としては、流動パラフィン、サフラワー油から選ばれる１種以上を用いた。また、界面活性剤としては、ポリオキシエチレンアルキルエーテル、ソルビタンオレイン酸モノエステル、モノイソステアリン酸グリセリル、ソルビタンオレイン酸トリエステル、ポリオキシエチレン硬化ヒマシ油から選ばれる１種以上を用い、その他、水を混合・攪拌し、抗原性低減化組成物を調整した。
【００６３】
【表１】
2006102471.tif 000002
【００６４】
注１）（タンニン酸）：タンニン酸（和光純薬製）を水およびエタノールに溶解し、タンニン酸１５％になるよう調整した液である。
（オリーブ抽出物）：植物オリーブの葉を、特許文献１の組成物実施例３に基づき水で抽出したのち、エタノールを加え、オレウロペイン０．６％になるように調整した液である。
注２）ポリオキシエチレンアルキルエーテルのＥＯ付加モル数は５モル、構成するアルキル基の炭素数１２〜１４。
注３）３０℃での粘度は５０ｍｍ２／ｓ。
注４）ポリオキシエチレン硬化ヒマシ油のＥＯ付加モル数は６０モル。
注５）ポリオキシエチレンアルキルエーテルのＥＯ付加モル数は３モル、構成するアルキル基の炭素数１２〜１４。
【００６５】
＜掃除用具への抗原性低減化組成物の付与＞
次に、上記の製造例１から３の抗原性低減化組成物、及び製造例４の組成物を、図１に示すような掃除用具（以下ハンディタイプという）、及び、図４に示すような掃除用具（以下フロアタイプという）にスプレーで付与し、それぞれのタイプについて、実施例１から３（製造例１から３を付与したもの）、及び比較例１（製造例４を付与したもの）の掃除用具を得た。
【００６６】
なお、ハンディタイプにおいては、繊維状基材（図１における、シート１１）全体に対して５質量％となるように付与した。また、フロアタイプにおいては、繊維状基材（図４における、シート３１）全体に対して７．５質量％となるように抗原性低減化組成物を付与した。
【００６７】
＜試験例＞
〔試験例１：抗原性低減化性能の評価〕
実施例１、２、３、及び比較例１の掃除用具について、以下の手順で、スギ花粉及びヒョウヒダニ類に対する抗原性低減化の評価を行った。その結果をまとめて表２、３に示す。なお、表中の「低減化率」は、１００−１００×（抗原性低減化剤を付与した掃除用具のＥＬＩＳＡによるアレルゲン量）／（抗原性低減化剤を付与しない掃除用具のＥＬＩＳＡによるアレルゲン量）によって求めた値であり、表中の記号は下記の低減化率を示す。
○・・・良好  低減化率  ５０％以上
△・・・劣る  低減化率  １０〜５０％
×・・・不良  低減化率  ０〜１０％
【００６８】
ハンディタイプ：約０．０５ｇのダニアレルゲン（ヒョウヒダニ類）を含むゴミ、及び約０．０１ｇのスギ花粉を、各々直径９ｃｍ高さ１７ｃｍのガラス瓶に入れ、フタをして瓶内壁全体にゴミ及びスギ花粉を分散させた。フタをはずし、ハンディタイプの掃除用具で瓶内のゴミ及びスギ花粉を拭き取った。この掃除用具から抽出液でアレルゲンを抽出し、ＥＬＩＳＡ法により定量的にアレルゲンを測定した。
【００６９】
フロアタイプ：約０．０５ｇのダニアレルゲン（ヒョウヒダニ類）を含むゴミ、及び約０．０１ｇのスギ花粉を、各々３０×３０ｃｍのフロアパネルの上に分散させた。そのゴミ及びスギ花粉をフロアタイプの掃除用具で拭き取った。この掃除用具から抽出液でアレルゲンを抽出し、ＥＬＩＳＡ法により定量的にアレルゲンを測定した。
【００７０】
なお、抽出液としてはリン酸緩衝液（ｐＨ７）を用いた。また、ＥＬＩＳＡ法（enzyme-linked  immunosorbent  assay：固相酵素免疫検定法）とは、抗原抗体反応において酵素の発色を利用して物質を定量する方法（ＥＩＡ法（enzyme  immunoassay：酵素免疫抗体法）の一種であり、検出したい物質を２種類の抗体で挟み込み定量するサンドイッチ法である。
【００７１】
【表２】
2006102471.tif 000003
【００７２】
【表３】
2006102471.tif 000004
【００７３】
表２、３の結果より、フロアタイプの掃除用具は、いずれの抗原性低減化組成物においても低減化効果が確認された。なお、実施例１のハンディタイプの掃除用具においては抗原性低減化成分の付与量が少なく、効果がやや不十分であった。
【００７４】
〔試験例２：加温、光照射後の低減化効果の評価〕
加温試験：実施例２、３の掃除用具の繊維状基材のみを、ハンディタイプの掃除用具は紙容器に収容して包装し、フロアタイプの掃除用具はフィルムでピロー包装した。この包装体を、室内の日陰、４０℃恒温槽、５０℃恒温槽にそれぞれ放置した。そして、放置直後、１ヶ月経過後に、上記の試験例１と同様の方法でアレルゲンを測定した。
光照射試験：ハンディタイプ、フロアタイプの掃除用具の繊維状基材ともに包装せず、シートのまま放置した。キセノンランプウェザーメーターにて太陽光１ヶ月相当、６ヶ月相当を照射し、上記の試験例１と同様の方法でアレルゲンを測定した。
【００７５】
結果を表４に示す。表中の低減化率および記号は表２、３と同様の意味を示す。実施例２、３いずれの掃除用具も、加温１ヶ月放置後においても低減化効果が維持されており、また、光照射後においても、低減化効果が維持されることが確認できた。
【００７６】
【表４】
2006102471.tif 000005
【産業上の利用可能性】
【００７７】
本発明は、繊維状基材を有する室内用の掃除用具として好適に使用することができる。
【図面の簡単な説明】
【００７８】
【図１】本発明の掃除用具の一例を示す斜視図である。
【図２】図１における繊維状基材の分解斜視図である。
【図３】本発明の掃除用具の他の例を示す斜視図である。
【図４】本発明の掃除用具の更に他の例を示す斜視図である。
【符号の説明】
【００７９】
１  保持シート
２  基材シート
３  繊維束（刷毛部）
３ａ  第１の繊維束
３ｂ  第２の繊維束
３ｃ  第３の繊維束
３ｄ  第４の繊維束
５  短冊シート
６  全層接合線
７  接合線
１０、２０、３０  掃除用具
１１、３１  掃除用シート（繊維状基材）
１２、２２、３２  把持具
１３  保持空間
３２ａ  先端部
３３  凸部
【図１】
2006102471.tif 000006
【図２】
2006102471.tif 000007
【図３】
2006102471.tif 000008
【図４】
2006102471.tif 000009